(57)【要約】      （修正有）【課題】糞収容部を取り外すことなく糞の回収を手早く行える上、１つの糞収容部を繰り返し用いることが可能なペット用おむつを提供する。【解決手段】ペットに装着されるおむつ本体１と、上部に開口部を有する容器状の糞収容部１２と、を備え、前記おむつ本体１は、前記ペットの肛門に対応する位置に設けられた貫通孔１１ｃを有し、この貫通孔１１ｃと前記開口部とが連通するように、前記糞収容部１２と連結され、前記糞収容部１２は、互いに着脱可能な複数の持ち手部材１２ｂを有し、前記複数の持ち手部材１２ｂは、互いに連結することで、前記ペットの尻尾を挿通可能な輪状部を形成することを特徴とする。【選択図】図１
2019017254.tif 000002
【特許請求の範囲】
【請求項１】
ペットに装着されるおむつ本体と、上部に開口部を有する容器状の糞収容部と、を備え、
前記おむつ本体は、前記ペットの肛門に対応する位置に設けられた貫通孔を有し、この貫通孔と前記開口部とが連通するように、前記糞収容部と連結され、
前記糞収容部は、互いに着脱可能な複数の持ち手部材を有し、
前記複数の持ち手部材は、互いに連結することで、前記ペットの尻尾を挿通可能な輪状部を形成することを特徴とする、ペット用おむつ。
【請求項２】
前記おむつ本体と前記糞収容部とは、互いに着脱可能であることを特徴とする、請求項１に記載のペット用おむつ。
【請求項３】
前記糞収容部は、袋状であることを特徴とする、請求項１又は２に記載のペット用おむつ。
【請求項４】
前記糞収容部は、合成樹脂により形成されていることを特徴とする、請求項３に記載のペット用おむつ。
【発明の詳細な説明】
【技術分野】
【０００１】
本発明は、犬や猫等ペットに装着するおむつに係るものである。
【背景技術】
【０００２】
従来、犬や猫等ペットに装着されるおむつとして、下半身全体を覆うタイプのものが用いられてきた。
【０００３】
このようなタイプのおむつは、全体がペットの下半身に密着した状態で装着されることから、おむつの内側で受け止めた排泄物が、ペットの身体に付着し不衛生であった。また、長期間取り換えずに放置しておくと、ペットの身体とおむつの間から排泄物が漏出し、室内を汚してしまう恐れがあった。
【０００４】
このような問題点を解決するために、特許文献１には、ペット用おむつの外面側に装着されて使用される大便袋が記載されている。
大便袋の内側部分は、ペット用おむつの尻尾挿通開口に対応した尻尾挿通部と、尻尾挿通部の下部側の大便捕捉開口と、が形成され、その他の部分は閉鎖された構成となっている。
上記した構成により、大便袋をペット用おむつから離脱させた状態で大便袋の開口部分を封鎖することができる。これにより、大便袋からの大便のしみ出しや臭いの発散を防止することができ、取り扱い時の不快感を解消することが可能となる。
【０００５】
また、特許文献２には、ペットの肛門に対応する位置に貫設された排出孔部を有し、内面にて前記ペットの尿を吸収するおむつ本体と、おむつ本体の外面に設けられ、排出孔部を介して前記おむつ本体の内面に連通し、ペットの大便を収容する収容空間を形成するポケット体とを具備した構成の、ペット用おむつ及びポケット体が記載されている。
上記した構成により、排泄された大便によって、ペットの身体が汚れることを防止できると共に、大便の排泄後にすぐに大便を除去することが可能となる。
【０００６】
また、特許文献３には、犬（動物）に前肢を挿通して常時装着する巻装体と、後肢を挿通して排泄の都度交換する収受袋をナスカンで互いに張架係止する構成の、排泄物回収収受具が記載されている。
上記した構成により、犬（動物）の体毛に便を付着させないで便尿を確実に収受することが可能となる。
【先行技術文献】
【特許文献】
【０００７】
【特許文献１】特許第５０９６９８４号
【特許文献２】特開２００５−３３３９５４号公報
【特許文献３】特開２０１６−２０８９３２号公報
【発明の概要】
【発明が解決しようとする課題】
【０００８】
しかしながら、特許文献１及び特許文献２に記載の発明は、糞を回収する糞収容部（大便袋、ポケット体）に貫通孔が設けられており、この貫通孔に尻尾を挿通して取り付ける構成である。このため、飼い主は、糞を回収する度に糞収容部をおむつ本体から取り外す必要があり手間となる。
【０００９】
また、特許文献３に記載の発明も、糞の回収時に糞収容部（収受袋）をナスカンから取り外す必要があり手間となる。さらに、この糞収容部は、排泄の都度交換する旨の記載がされており、繰り返し用いる前提ではない。
【００１０】
本発明は上記のような実状に鑑みてなされたものであり、糞収容部を取り外すことなく糞の回収を手早く行える上、１つの糞収容部を繰り返し用いることが可能なペット用おむつを提供することを課題とする。
【課題を解決するための手段】
【００１１】
上記課題を解決するために、本発明は、
ペットに装着されるおむつ本体と、上部に開口部を有する容器状の糞収容部と、を備え、
前記おむつ本体は、前記ペットの肛門に対応する位置に設けられた貫通孔を有し、この貫通孔と前記開口部とが連通するように、前記糞収容部と連結され、
前記糞収容部は、互いに着脱可能な複数の持ち手部材を有し、
前記複数の持ち手部材は、互いに連結することで、前記ペットの尻尾を挿通可能な輪状部を形成することを特徴とする。
【００１２】
本発明によれば、輪状部を形成した持ち手部材の連結を解くことで、糞収容部をおむつ本体から取り外すことなく、糞の回収を手早く行うことが可能となる。
また、糞を回収した後、再度複数の持ち手部材により輪状部を形成し、尻尾を挿通させることで、本発明を排泄前と同様の使用状態とすることができる。即ち、１つの糞収容部を繰り返し用いることが可能となる。
【００１３】
本発明の好ましい形態では、前記おむつ本体と前記糞収容部とは、互いに着脱可能であることを特徴とする。
【００１４】
このような構成とすることで、糞収容部が極端に汚れた場合や、破損した場合等に、糞収容部のみを、新たなものに交換することが可能となる。
【００１５】
本発明の好ましい形態では、前記糞収容部は、袋状であることを特徴とする
【００１６】
このような構成とすることで、本発明の使用後に、おむつ本体を糞収容部に収容し、コンパクトにまとめて処分することが可能となる。
【００１７】
本発明の好ましい形態では、前記糞収容部は、合成樹脂により形成されていることを特徴とする。
【００１８】
このような構成とすることで、ペットが排泄した際に、糞が糞収容部に接触することによりガサガサと音が鳴るため、ペットの排泄を容易に検知することが可能となる。
【発明の効果】
【００１９】
本発明によれば、糞収容部を取り外すことなく糞の回収を手早く行える上、１つの糞収容部を繰り返し用いることが可能なペット用おむつを提供することができる。
【図面の簡単な説明】
【００２０】
【図１】本発明の実施形態に係るペット用おむつの概略図である。
【図２】本発明の実施形態に係るペット用おむつを示すものであって、（ａ）おむつ本体のみを貫通孔側から見た正面図、（ｂ）糞収容部を取り付けたおむつ本体を貫通孔側から見た正面図である。
【図３】本発明の実施形態に係るペット用おむつをペットに装着した際の概略図である。
【図４】本発明の実施形態に係るペット用おむつをペットに装着した際の、臀部の拡大側面図を示すものであって、（ａ）排泄時の拡大側面図、（ｂ）排泄後であって糞回収時の拡大側面図である。
【図５】本発明の実施形態に係るペット用おむつを示すものであって、おむつ本体を糞収容部に収容した際の概略図である。
【図６】本発明の実施形態に係るペット用おむつの変更例をペットに装着した際の概略図である。
【発明を実施するための形態】
【００２１】
以下、図面を用いて、本発明の実施形態に係るペット用おむつについて説明する。なお、以下に示す実施形態は本発明の一例であり、本発明を以下の実施形態に限定するものではない。
【００２２】
図１に示す様に、本発明の実施形態に係るペット用おむつ１は、おむつ本体１１と、糞収容部１２と、を備えている。
【００２３】
おむつ本体１１は、ペットＰの胴部を挿通させる胴部挿通部１１ａと、ペットＰの後足を挿通させる足挿通部１１ｂと、ペットＰの肛門に対応する位置に設けられた貫通孔１１ｃと、を有している。また、貫通孔１１ｃの両側方には、おむつ本体１１と糞収容部１２とを連結するために用いられる連結用孔１１ｄが設けられている。
胴部挿通部１１ａ及び足挿通部１１ｂは、その周縁部を自在に伸縮可能な口ゴムにより形成されており、おむつ本体１１をペットＰの身体に密着させることができる。
【００２４】
糞収容部１２は、全体が合成樹脂により形成されており、上部に開口部を有する袋本体１２ａと、２つの持ち手部材１２ｂと、を有している。２つの持ち手部材１２ｂは、間隔を置いて、袋本体１２ａの開口端から上方に延びるように、袋本体１２ａと一体形成されている。さらに詳述すれば、持ち手部材１２ｂは、帯状であり、袋本体１２ａを開いた際に逆Ｕ字状となるように、両端が袋本体１２ａの開口端に連結されている。
糞収容部１２は、必ずしも全体が合成樹脂により形成されている必要はなく、例えば、袋本体１２ａのみを合成樹脂により形成し、２つの持ち手部材１２ｂを布や革等の素材により形成しても良い。また、持ち手部材１２ｂの数は２つに限定されず、３つ以上であっても良い。
【００２５】
図２（ａ）に示す様に、おむつ本体１１において、貫通孔１１ｃの下部には、貫通孔１１ｃの下辺に沿うようにして、接着部材Ａが設けられている。
接着部材Ａとしては、例えば、粘着テープ、接着剤、面ファスナー等が挙げられる。接着部材Ａとして面ファスナーを用いる場合には、接着部材Ａに面ファスナーの雄材を用い、袋本体１２ａの外面上部に面ファスナーの雌材を設ける。
【００２６】
図２（ｂ）に示す様に、袋本体１２ａの外面上部が、接着部材Ａを用いて、おむつ本体１１に接着されている。また、２つの持ち手部材１２ｂが、留め具Ｂを介して、おむつ本体１１と連結されている。詳述すれば、面ファスナーを有するバンド状の留め具Ｂを、貫通孔１１ｃと、一の連結用孔１１ｄと、一の持ち手部材１２ｂの輪の中と、に通した後、面ファスナーを用いて筒状とする。このように、一の留め具Ｂを用いて、おむつ本体１１の一部分及び一の持ち手部材１２ｂの一部分を、巻き付けるようにして結束する。
留め具Ｂとしては、この他にも、結束バンドや結束クリップ、挟持用のクリップを用いることもできる。また、紐で束ねる、粘着テープを巻き付ける、といった方法を用いても良い。
【００２７】
上記のように、接着部材Ａ及び留め具Ｂを用いることで、おむつ本体１１の貫通孔１１ｃと、袋本体１２ａの開口部とが連通するように、おむつ本体１１と糞収容部１２とが連結される。
【００２８】
なお、図２（ｂ）において、最前面の糞収容部１２により隠れる、これより背面の糞収容部１２、おむつ本体１１、接着部材Ａ及び留め具Ｂは点線により示している。また、図３以降においても、最前面の糞収容部１２により隠れる部分は点線により示している。
【００２９】
図３は、ペット用おむつ１をペットＰに装着した際の概略図である。なお、ペットＰとして犬の例を示しているが、ペット用おむつ１の形状や大きさを適宜変更することで、猫やウサギといった種々の動物にも装着可能である。
【００３０】
図３に示す様に装着するために、まず、ペットＰの後足を、胴部挿通部１１ａを介して、足挿通部１１ｂに挿通し、おむつ本体１１を、ペットＰの頭部側に引っ張る。こうすることで、おむつ本体１１が、ペットＰに密着する形で装着される。この際、貫通孔１１ｃには、尻尾Ｔが挿通されている状態となる。
【００３１】
次に、２つの持ち手部材１２ｂを、尻尾Ｔの上方まで引っ張る。そして、おむつ本体１１と持ち手部材１２ｂとを連結するために用いたものと同様の留め具Ｂを、２つの持ち手部材１２ｂの輪の中に通した後、面ファスナーを用いて筒状とする。こうすることで、２つの持ち手部材１２ｂが、輪状部を形成するように連結し、この輪状部に尻尾Ｔが挿通されている状態となる。
【００３２】
図４（ａ）に示す様に、糞Ｄが、尻尾Ｔの付け根の直下に存在するペットＰの肛門から排泄されると、糞収容部１２に収容される。
【００３３】
糞収容部１２に収容された糞Ｄを回収する際には、図４（ｂ）に示す様に、留め具Ｂを外すことにより、２つの持ち手部材１２ｂの連結を解く。これにより、糞Ｄの重みで糞収容部１２が下方へ垂れ下がり、袋本体１２ａの開口部から、手やスコップ等の回収用具を挿入することができる。糞Ｄの回収後は、再度２つの持ち手部材１２ｂを、尻尾Ｔの上方で連結することで、図３に示す状態とすることができる。
【００３４】
おむつ本体１１の尿の吸収量が限界に達した際等、ペット用おむつ１全体を交換する際には、ペット用おむつ１をペットＰから取り外し、図５に示す様に、おむつ本体１１を糞収容部１２に収容する。そして、全体を圧縮しながら、２つの持ち手部材１２ｂを結び、破棄する。
【００３５】
本実施形態によれば、輪状部を形成した２つの持ち手部材１２ｂの連結を解くことで、糞収容部１２をおむつ本体から取り外すことなく、糞の回収を手早く行うことが可能となる。また、糞を回収した後、再度２つの持ち手部材１２ｂにより輪状部を形成し、尻尾Ｔを挿通させることで、本発明を排泄前と同様の使用状態とすることができる。即ち、１つの糞収容部１２を繰り返し用いることが可能となる。
【００３６】
また、おむつ本体１１と糞収容部１２は、接着部材Ａ及び留め具Ｂにより連結されており、互いに着脱可能であるから、糞収容部１２が極端に汚れた場合や、破損した場合等に、糞収容部１２のみを、新たなものに交換することが可能となる。
【００３７】
また、糞収容部１２は、袋状であるから、ペット用おむつ１の使用後に、おむつ本体１１を糞収容部１２に収容し、コンパクトにまとめて処分することが可能となる。
【００３８】
また、糞収容部１２は、合成樹脂により形成されていることから、ペットＰが排泄した際に、糞Ｄが糞収容部１２に接触することによりガサガサと音が鳴るため、ペットＰの排泄を容易に検知することが可能となる。
【００３９】
なお、前記実施形態において示した各構成部材の諸形状や寸法等は一例であって、設計要求等に基づき種々変更可能である。
【００４０】
例えば、上記実施例においては、乳幼児に用いられるような、胴部挿通部１１ａと足挿通部１１ｂとを有する袋状のおむつ本体１１を備えた、ペット用おむつ１を示したが、おむつ本体１１の形状はこれに限定されない。
また、持ち手部材１２ｂの両端が袋本体１２ａの開口端に連結された糞収容部１２を示したが、持ち手部材１２ｂと袋本体１２ａとの連結手段はこれに限定されない。
さらに、持ち手部材１２ｂ同士の連結手段も、留め具Ｂを用いたものに限定されない。
おむつ本体１１及び持ち手部材１２ｂは、図６に示す様な構成に変更可能である。
【００４１】
図６に示した変更例では、おむつ本体１１は、ペットに用いられるおむつとして通常市販されているものと同様の形状のものが用いられている。即ち、図６に示したおむつ本体１１は、袋状ではなく１枚のシート状となっており、図６に示す様に、両側方に突設されたシール部Ｓ（片方は図示せず）を、ペットＰの身体に巻き付けることにより装着されている。また、上記実施例と同様に、このおむつ本体１１は、ペットＰの肛門に対応する位置に貫通孔１１ｃが設けられており、この貫通孔１１ｃに尻尾Ｔが挿通されている。
【００４２】
また、図６に示した変更例では、２つの持ち手部材１２ｂは、帯状であるが、一端のみが袋本体１２ａと連結されており、この持ち手部材１２ｂを有する糞収容部１２は、おむつ本体１１と、接着部材Ａのみを用いて連結されている。なお、持ち手部材１２ｂの形状は、紐状であっても良い。
【００４３】
さらに、持ち手部材１２ｂ同士の連結には、留め具Ｂを用いておらず、持ち手部材１２ｂの端部に連結手段が設けられている。このような連結手段としては、例えば、面ファスナーや差し込みバックルを設けても良いし、持ち手部材１２ｂ同士を直接結んで連結しても良い。
【符号の説明】
【００４４】
１      ペット用おむつ
１１    おむつ本体
１１ａ  胴部挿通部
１１ｂ  足挿通部
１１ｃ  貫通孔
１１ｄ  連結用孔
１２    糞収容部
１２ａ  袋本体
１２ｂ  持ち手部材
Ｐ      ペット
Ａ      接着部材
Ｂ      留め具
Ｔ      尻尾
Ｄ      糞
Ｓ      シール部
【図１】
2019017254.tif 000003
【図２】
2019017254.tif 000004
【図３】
2019017254.tif 000005
【図４】
2019017254.tif 000006
【図５】
2019017254.tif 000007
【図６】
2019017254.tif 000008